(57)【要約】      （修正有）【課題】栽培条件に関する情報と成果に関する情報とを結びつけて蓄積し、農業の発展に寄与する情報として活用する農作物管理システム及び農作物管理プログラムを提供する。【解決手段】農作物管理システム１００は、農業者端末装置１０２とサーバ装置１０３を備える。農業者端末装置１０２は、農作物の育成記録及び成果情報を含む農業者からの入力を受け付ける農業者端末入力手段と、当該入力をサーバ装置１０３に対して送信する農業者端末送信手段と、当該通知を受信する農業者端末受信手段とを有する。サーバ装置１０３は、農業者端末装置１０２から送信された入力を受信するサーバ装置受信手段と、育成記録及び成果情報を記憶するサーバ装置記憶手段と、育成記録及び／又は成果情報に基づいて農業者に対する通知を生成するサーバ装置演算手段と、当該通知を農業者端末装置１０２に対して送信するサーバ装置送信手段とを有する。【選択図】図１
2020201763.tif 000002
【特許請求の範囲】
【請求項１】
農業者が使用する農業者端末装置と、前記農業者端末装置がネットワークを介して接続可能なサーバ装置とを備える農作物管理システムであって、
前記農業者端末装置は、
農作物の育成記録及び成果情報を含む前記農業者からの入力を受け付ける農業者端末入力手段と、
前記農業者入力手段によって受け付けた前記入力を前記サーバ装置に対して送信する農業者端末送信手段と、
前記サーバ装置から送信された通知を受信する農業者端末受信手段とを有し、
前記サーバ装置は、
前記農業者端末装置から送信された前記入力を受信するサーバ装置受信手段と、
前記サーバ装置受信手段によって受信した前記育成記録及び前記成果情報を記憶するサーバ装置記憶手段と、
前記サーバ装置記憶手段に記憶された前記育成記録及び／又は前記成果情報に基づいて前記農業者に対する通知を生成するサーバ装置演算手段と、
前記サーバ装置演算手段によって生成された前記通知を前記農業者端末装置に対して送信するサーバ装置送信手段とを有する農作物管理システム。
【請求項２】
前記農業者端末入力手段が、土壌の水素イオン指数、電気伝導度、水分量及び窒素化合物量並びに施用される肥料の種類及び分量並びに施用される農薬の種類及び分量並びに日射量並びに気温並びに天候の情報の入力を前記育成記録として受け付け可能な請求項１に記載の農作物管理システム。
【請求項３】
前記農業者端末入力手段が、前記農作物の糖度、酸度、収穫量、販売価格及び利益率の情報の入力を前記成果情報として受け付け可能な請求項２に記載の農作物管理システム。
【請求項４】
前記農業者端末入力手段がＲＦＩＤリーダーであり、測定器に設けられたＲＦＩＤチップをかざして前記成果情報の入力がなされる請求項３に記載の農作物管理システム。
【請求項５】
請求項４に記載の農作物管理システムに含まれる前記農業者端末装置において実行可能な農作物管理プログラムであって、前記農業者端末装置を、前記農業者端末入力手段と、前記農業者端末送信手段と、前記農業者端末受信手段として機能させる農作物管理プログラム。
【請求項６】
前記サーバ装置演算手段が、前記サーバ装置記憶手段に記憶された複数の前記農業者の前記成果情報を抽出する第一抽出手段と、前記第一抽出手段によって抽出した前記成果情報のうち所定の前記農作物の品種に係る所定のパラメータの値の大きさを比較して算出したランキング情報を前記通知として生成するランキング情報生成手段とを有する請求項１に記載の農作物管理システム。
【請求項７】
請求項６に記載の農作物管理システムに含まれる前記サーバ装置において実行可能な農作物管理プログラムであって、前記サーバ装置を、前記第一抽出手段と、前記ランキング情報生成手段として機能させる農作物管理プログラム。
【請求項８】
前記サーバ装置演算手段が、前記サーバ装置記憶手段に記憶された前記農業者の前記育成記録を抽出する第二抽出手段と、所定の前記農作物の品種に係る育成記録及び成果情報から育成結果を予測するモデルを構築するモデル構築手段と、前記モデルに対して育成記録を入力することによって育成結果の予測値を得る育成結果予測手段と、前記育成結果予測手段によって得られた前記予測値に応じて栽培方法に係るアドバイス情報を前記通知として生成するアドバイス情報生成手段とを有する請求項１に記載の農作物管理システム。
【請求項９】
前記モデルが人工知能モデルである請求項８に記載の農作物管理システム。
【請求項１０】
請求項８又は９に記載の前記農作物管理システムに含まれる前記サーバ装置において実行可能な農作物管理プログラムであって、前記サーバ装置を、前記第二抽出手段と、前記モデル構築手段と、前記育成結果予測手段と、前記アドバイス情報生成手段として機能させる農作物管理プログラム。
【請求項１１】
ネットワークを介して前記サーバ装置と接続可能な、消費者が使用する消費者端末装置をさらに備える請求項１に記載の農作物管理システムであって、
前記消費者端末装置は、
前記消費者からの入力を受け付ける消費者端末入力手段と、
前記消費者端末入力手段によって受け付けた前記入力を前記サーバ装置に対して送信する消費者端末送信手段と、
前記サーバ装置から送信された情報を受信する消費者端末受信手段とを有し、
前記サーバ装置は、
前記サーバ装置受信手段が、前記消費者端末装置から送信された前記入力を受信し、
前記サーバ装置演算手段が、前記消費者端末装置から送信された前記入力に応じて前記サーバ装置記憶手段に記憶された情報を読み出し、
前記サーバ装置送信手段が、前記消費者端末装置から送信された前記入力に応じて前記サーバ装置記憶手段から読み出された前記情報を前記消費者端末装置に対して送信する農作物管理システム。
【請求項１２】
前記消費者端末入力手段が、前記消費者端末装置から送信された前記入力に応じて前記サーバ装置記憶手段から読み出された前記情報に対する評価情報を前記入力として受け付け可能な請求項１１に記載の農作物管理システム。
【請求項１３】
ネットワークを介して前記サーバ装置と接続可能な、バイヤーが使用するバイヤー端末装置をさらに備える請求項１２に記載の農作物管理システムであって、
前記バイヤー端末装置は、
前記バイヤーからの入力を受け付けるバイヤー端末入力手段と、
前記バイヤー端末入力手段によって受け付けた前記入力を前記サーバ装置に対して送信するバイヤー端末送信手段と、
前記サーバ装置から送信された情報を受信するバイヤー端末受信手段とを有し、
前記サーバ装置は、
前記サーバ装置受信手段が、前記バイヤー端末装置から送信された前記入力を受信し、
前記サーバ装置演算手段が、前記バイヤー端末装置から送信された前記入力に応じて前記サーバ装置記憶手段に記憶された情報を読み出し、
前記サーバ装置送信手段が、前記バイヤー端末装置から送信された前記入力に応じて前記サーバ装置記憶手段から読み出された前記情報を前記バイヤー端末装置に対して送信する農作物管理システム。
【請求項１４】
前記バイヤー端末入力手段が、前記バイヤー端末装置から送信された前記入力に応じて前記サーバ装置記憶手段から読み出された前記情報に対する発注情報を前記入力として受け付け可能な請求項１３に記載の農作物管理システム。
【請求項１５】
前記サーバ装置送信手段が、前記バイヤー端末送信手段から送信された前記発注情報を前記農業者端末装置に対して送信し、前記農業者端末受信手段が、前記サーバ装置送信手段から送信された前記発注情報を受信する請求項１４に記載の農作物管理システム。
【発明の詳細な説明】
【技術分野】
【０００１】
本発明は、農作物の管理システム及び管理プログラムに関する。
【背景技術】
【０００２】
昨今、農業を取り巻く環境には様々な課題が存在している。例えば、農業従事者の人口減少と高齢化が急速に進んでおり、後継者不足に悩む農業従事者が少なくない。また、特に後継者不足によって廃業を余儀なくされるケースでは、これまで培われた栽培条件などに関する独自のノウハウが引き継がれずに失われていることが多い。さらに、若手の人材や外国人労働者などが農業への新規参入を望んだとしても、農業に関するノウハウが日々失われ、農業に関するノウハウを習得する機会すらも減少している状況にあっては、新規参入が難しく、たとえ新規参入を果たしても農業を継続していくことが難しい。加えて、近年、日本にあっては食料自給率が４割を切る状況となっており、食料自給率の上昇が叫ばれている。
【０００３】
上述のような課題が存在し、且つ深刻さを増している中、情報技術を活用して栽培に関するデータを蓄積し、活用することが提案されている。具体的には、栽培条件に関する情報、例えば日射量や気温といった農作物の周辺環境の情報や、水や肥料といった農作物が栄養分として吸い上げる情報を取り扱うシステムが提案されている。
【０００４】
しかしながら、栽培条件に関する情報を蓄積したとしても、栽培の結果としてどのような農作物が出来上がったのか、即ちどのような成果が得られたのかという情報がないため、栽培条件に関する情報と成果に関する情報との結びつきが無く、蓄積した情報を十分に活用することができないという課題が依然として存在していた。
【０００５】
ところで、糖度や酸度など、甘味や酸味といった消費者が感じ取る食味と相関があるパラメータを測定・評価することができる測定器が存在する。例えば、特許文献１に示す糖度計（屈折計）や、酸度計などである。野菜や果物などの農作物がメディアで取り上げられる際に、これらの測定器による測定結果を紹介することが一般化しているという事実や、スーパーマーケットや青果店においても糖度などを表示することが一般化しているという事実が指し示すとおり、糖度や酸度などは農作物のデータとして重要な情報であり、まさに上述した成果に関する情報として、農業従事者だけでなく消費者も求めているものであった。
【先行技術文献】
【特許文献】
【０００６】
【特許文献１】特開２００８−１５７９６２号公報
【発明の概要】
【発明が解決しようとする課題】
【０００７】
本発明は、以上のような事情に鑑みてなされたものである。即ち、本発明は、栽培条件に関する情報と成果に関する情報とを結びつけて蓄積し、農業の発展に寄与する情報として活用する農作物管理システム及び農作物管理プログラムを提供することを目的とする。
【課題を解決するための手段】
【０００８】
以上の課題を解決するために、本発明に係る農作物管理システムは、農業者が使用する農業者端末装置と、農業者端末装置がネットワークを介して接続可能なサーバ装置とを備える農作物管理システムであって、農業者端末装置は、農作物の育成記録及び成果情報を含む農業者からの入力を受け付ける農業者端末入力手段と、農業者入力手段によって受け付けた入力をサーバ装置に対して送信する農業者端末送信手段と、サーバ装置から送信された通知を受信する農業者端末受信手段とを有し、サーバ装置は、農業者端末装置から送信された入力を受信するサーバ装置受信手段と、サーバ装置受信手段によって受信した育成記録及び成果情報を記憶するサーバ装置記憶手段と、サーバ装置記憶手段に記憶された育成記録及び／又は成果情報に基づいて農業者に対する通知を生成するサーバ装置演算手段と、サーバ装置演算手段によって生成された通知を農業者端末装置に対して送信するサーバ装置送信手段とを有することを特徴とする。
【０００９】
農業者端末入力手段は、土壌の水素イオン指数、電気伝導度、水分量及び窒素化合物量並びに施用される肥料の種類及び分量並びに施用される農薬の種類及び分量並びに日射量並びに気温並びに天候の情報の入力を育成記録として受け付け可能として良い。
【００１０】
農業者端末入力手段は、農作物の糖度、酸度、収穫量、販売価格及び利益率の情報の入力を成果情報として受け付け可能として良い。
【００１１】
農業者端末入力手段は、ＲＦＩＤリーダーであって良く、測定器に設けられたＲＦＩＤチップをかざして成果情報の入力がなされて良い。
【００１２】
農業者端末装置において実行可能な農作物管理プログラムは、農業者端末装置を、農業者端末入力手段と、農業者端末送信手段と、農業者端末受信手段として機能させて良い。
【００１３】
サーバ装置演算手段は、サーバ装置記憶手段に記憶された複数の農業者の成果情報を抽出する第一抽出手段と、第一抽出手段によって抽出した成果情報のうち所定の農作物の品種に係る所定のパラメータの値の大きさを比較して算出したランキング情報を通知として生成するランキング情報生成手段とを有して良い。
【００１４】
サーバ装置において実行可能な農作物管理プログラムは、サーバ装置を、第一抽出手段と、ランキング情報生成手段として機能させて良い。
【００１５】
サーバ装置演算手段は、サーバ装置記憶手段に記憶された農業者の育成記録を抽出する第二抽出手段と、所定の農作物の品種に係る育成記録及び成果情報から育成結果を予測するモデルを構築するモデル構築手段と、モデルに対して育成記録を入力することによって育成結果の予測値を得る育成結果予測手段と、育成結果予測手段によって得られた予測値に応じて栽培方法に係るアドバイス情報を通知として生成するアドバイス情報生成手段とを有して良い。
【００１６】
育成結果を予測するモデルは、人工知能モデルであって良い。
【００１７】
サーバ装置において実行可能な農作物管理プログラムは、サーバ装置を、第二抽出手段と、モデル構築手段と、育成結果予測手段と、アドバイス情報生成手段として機能させて良い。
【００１８】
また、本発明に係る農作物管理システムは、ネットワークを介してサーバ装置と接続可能な、消費者が使用する消費者端末装置をさらに備える農作物管理システムであって、消費者端末装置は、消費者からの入力を受け付ける消費者端末入力手段と、消費者端末入力手段によって受け付けた入力をサーバ装置に対して送信する消費者端末送信手段と、サーバ装置から送信された情報を受信する消費者端末受信手段とを有し、サーバ装置は、サーバ装置受信手段が、消費者端末装置から送信された入力を受信し、サーバ装置演算手段が、消費者端末装置から送信された入力に応じてサーバ装置記憶手段に記憶された情報を読み出し、サーバ装置送信手段が、消費者端末装置から送信された入力に応じてサーバ装置記憶手段から読み出された情報を消費者端末装置に対して送信して良い。
【００１９】
消費者端末入力手段は、消費者端末装置から送信された入力に応じてサーバ装置記憶手段から読み出された情報に対する評価情報を入力として受け付け可能として良い。
【００２０】
また、本発明に係る農作物管理システムは、ネットワークを介してサーバ装置と接続可能な、バイヤーが使用するバイヤー端末装置をさらに備える農作物管理システムであって、バイヤー端末装置は、バイヤーからの入力を受け付けるバイヤー端末入力手段と、バイヤー端末入力手段によって受け付けた入力をサーバ装置に対して送信するバイヤー端末送信手段と、サーバ装置から送信された情報を受信するバイヤー端末受信手段とを有し、サーバ装置は、サーバ装置受信手段が、バイヤー端末装置から送信された入力を受信し、サーバ装置演算手段が、バイヤー端末装置から送信された入力に応じてサーバ装置記憶手段に記憶された情報を読み出し、サーバ装置送信手段が、バイヤー端末装置から送信された入力に応じてサーバ装置記憶手段から読み出された情報をバイヤー端末装置に対して送信して良い。
【００２１】
バイヤー端末入力手段は、バイヤー端末装置から送信された入力に応じてサーバ装置記憶手段から読み出された情報に対する発注情報を入力として受け付け可能として良い。
【００２２】
サーバ装置送信手段は、バイヤー端末送信手段から送信された発注情報を農業者端末装置に対して送信し、農業者端末受信手段は、サーバ装置送信手段から送信された発注情報を受信して良い。
【発明の効果】
【００２３】
本発明によれば、栽培条件に関する情報と成果に関する情報とを結びつけて蓄積し、農業の発展に寄与する情報として活用する農作物管理システム及び農作物管理プログラムを提供できる。
【図面の簡単な説明】
【００２４】
【図１】本発明の一実施形態に係る農作物管理システムの全体構成を示した図である。
【図２】（Ａ）は農業者端末装置の構成を示した図であり、（Ｂ）は測定器の構成を示した図である。
【図３】サーバ装置の構成を示した図である。
【図４】演算部の構成を示した図である。
【図５】農作物管理システムの情報処理の流れを示した図である。
【図６】農作物管理システムの情報処理の流れを示した図である。
【図７】農作物管理システムの情報処理の流れを示した図である。
【図８】農作物管理システムの情報処理の流れを示した図である。
【図９】農作物管理システムの情報処理の流れを示した図である。
【図１０】農作物管理システムの情報処理の流れを示した図である。
【図１１】農作物管理システムの情報処理の流れを示した図である。
【図１２】本発明の他の実施形態に係る農作物管理システムの全体構成を示した図である。
【図１３】消費者端末装置の構成を示した図である。
【図１４】農作物管理システムの情報処理の流れを示した図である。
【図１５】農作物管理システムの情報処理の流れを示した図である。
【図１６】本発明の他の実施形態に係る農作物管理システムの全体構成を示した図である。
【図１７】バイヤー端末装置の構成を示した図である。
【図１８】農作物管理システムの情報処理の流れを示した図である。
【図１９】農作物管理システムの情報処理の流れを示した図である。
【発明を実施するための形態】
【００２５】
以下、図面を参照しながら本発明に係る農作物管理システムの一実施形態を説明する。なお、全ての実施形態を通して、同一の参照符号が付されたものは同一の構成とする。
【００２６】
図１は、本発明に係る農作物管理システムの全体構成を示した図である。図示されるように、農作物管理システム１００は、農業者端末装置１０２と、サーバ装置１０３とを備えている。農業者端末装置１０２とサーバ装置１０３にはそれぞれＩＰアドレスが割り当てられ、インターネットなどにより構築されているネットワーク１０１に有線又は無線で接続されており、相互にデータ通信が可能な構成となっている。
【００２７】
農業者端末装置１０２は、農業を営む農家など、個人又は法人の農業従事者（農業者）が使用する携帯型のコンピュータである。具体的には、携帯型のパーソナルコンピュータ（ＰＣ）、携帯電話、ＰＤＡ、スマートフォンなどを適用することができ、特に限定されない。なお、本実施形態においては、農業者端末装置１０２の具体例としてスマートフォンを例示する。また、農業者端末装置１０２は、各端末装置を使用する農業者毎に割り当てられたユーザーＩＤによって識別することができ、本実施形態に係る農作物管理システム１００において農業者端末装置１０２の台数は特に限定されない。
【００２８】
サーバ装置１０３は、農作物管理システム１００を使用するユーザーに関するデータベースなどを備え、農業者端末装置１０２から送信された農作物に関する育成記録や成果情報などを記憶し、また、ユーザーからの要求に応じて、ランキング情報やアドバイス情報などを生成する。なお、サーバ装置１０３は、図示されるような単一の装置の形式に限定されず、クラウドコンピューティングによってサーバ装置１０３の各構成が別々に存在して良い。
【００２９】
次に、図２を参照しながら、本実施形態に係る農業者端末装置１０２の各構成及び測定器１２６の各構成について説明する。
【００３０】
図２（Ａ）は、本実施形態に係る農業者端末装置１０２の構成を示した図である。図示されるように、農業者端末装置１０２は、バスを介して、制御部１２０、記憶部１２１、通信部１２２、表示部１２３、演算部１２４及び入力部１２５を備えている。
【００３１】
制御部１２０は、農業者端末装置１０２の中枢として機能する中央演算処理装置（Ｃｅｎｔｒａｌ  Ｐｒｏｃｅｓｓｉｎｇ  Ｕｎｉｔ）であり、記憶部１２１などに記憶されたプログラムを実行することにより、農業者端末装置１０２の各構成を制御する。
【００３２】
記憶部１２１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）で構成され、農作物管理プログラムを含むプログラムや各種情報を記憶し、また、各種の作業用記憶領域を形成している。
【００３３】
通信部１２２は、制御部１２０の制御の下、ネットワーク１０１を介してサーバ装置１０３との間でデータを送受信する通信手段である。
【００３４】
表示部１２３は、例えば液晶表示素子や有機ＥＬなどの表示素子を用いて構成されているディスプレイであり、制御部１２０の制御の下、ランキング情報やアドバイス情報などを表示する機能を備えている。
【００３５】
演算部１２４は、記憶部１２１に記憶されたプログラムを実行し、記憶部１２１に記憶された各種の情報や入力部１２５から入力された各種の入力を演算する演算手段である。なお、演算部１２４は独立して構成される必要はなく、制御部１２０が演算部１２４を兼ねても良い。
【００３６】
入力部１２５は、操作者である農業者による入力操作を受け付ける機能を備えており、例えば、ＲＦＩＤ（Ｒａｄｉｏ Ｆｒｅｑｕｅｎｃｙ Ｉｄｅｎｔｉｆｉｅｒ）リーダー、表示部１２３に表示されたスクリーンキーボード、キーボード、マウス、音声入力を受け付けるマイクで構成されている。
【００３７】
図２（Ｂ）は、農作物に関する成果情報を農業者端末装置１０２に対して迅速且つ簡易に入力可能な測定器１２６、例えば糖度計の構成を示した図である。図示されるように、測定器１２６は、バスを介して、制御部１２７、記憶部１２８、通信部１２９、表示部１３０、演算部１３１、入力部１３２及びセンサ部１３３を備えている。
【００３８】
測定器１２６が備える制御部１２７、記憶部１２８、表示部１３０、演算部１３１及び入力部１３２は、構成的には農業者端末装置１０２が備える制御部１２０、記憶部１２１、表示部１２３、演算部１２４及び入力部１２５と同様であり、センサ部１３３は、光センサなど種々の測定器において適宜使用されるセンサで構成されている。その一方で、測定器１２６は、ＲＦＩＤチップで構成される通信部１２９を備えることを特徴としている。これにより、農業者端末装置１０２の入力部１２５がＲＦＩＤリーダーで構成されていれば、悪天候下の屋外や高所などであっても、測定器１２６を農業者端末装置１０２にかざすだけで、農作物に関する成果情報を迅速且つ簡易に入力することができる。
【００３９】
次に、図３を参照しながら、本実施形態に係るサーバ装置１０３の各構成について説明する。
【００４０】
図３は、本実施形態に係るサーバ装置１０３の構成を示した図である。図示されるように、サーバ装置１０３は、バスを介して、制御部１４０、記憶部１４１、通信部１４２、農作物情報データベース１４３、演算部１４４、ユーザーデータベース１４５及びマイページデータベース１４６を備えている。
【００４１】
制御部１４０は、サーバ装置１０３の中枢として機能する中央演算処理装置（Ｃｅｎｔｒａｌ  Ｐｒｏｃｅｓｓｉｎｇ  Ｕｎｉｔ）であり、記憶部１４１などに記憶されたプログラムを実行することにより、サーバ装置１０３の各構成を制御する。
【００４２】
記憶部１４１は、ハードディスク（ＨＤＤ）やＲＡＭ（Ｒａｎｄｏｍ  Ａｃｃｅｓｓ  Ｍｅｍｏｒｙ）で構成され、農作物管理プログラムを含むプログラムや各種情報を記憶し、また、各種の作業用記憶領域を形成している。
【００４３】
通信部１４２は、制御部１４０の制御の下、ネットワーク１０１を介して農業者端末装置１０２との間でデータを送受信する通信手段である。
【００４４】
農作物情報データベース１４３は、農業者端末装置１０２から送信された農作物に関する情報、例えば、農作物に関する育成記録や成果情報からなるデータベースである。なお、農作物情報データベース１４３は独立して構成される必要はなく、記憶部１４１の一領域として構成されても良い。
【００４５】
演算部１４４は、記憶部１４１に記憶されたプログラムを実行し、記憶部１４１に記憶された各種の情報の演算や、農作物情報データベース１４３に格納された農作物に関する情報を演算して生成したランキング情報やアドバイス情報を含む各種の通知を生成する演算手段である。なお、演算部１４４は独立して構成される必要はなく、制御部１４０が演算部１４４を兼ねても良い。
【００４６】
ユーザーデータベース１４５は、農作物管理システム１００を使用するユーザーに関する情報、例えば、ユーザーのＩＤ、氏名や住所などの個人属性からなるデータベースである。なお、ユーザーデータベース１４５は独立して構成される必要はなく、記憶部１４１の一領域として構成されても良い。
【００４７】
マイページデータベース１４６は、農作物管理システム１００を使用するユーザー毎に割り当てられたウェブページ（マイページ）に関する情報、例えば、各ウェブページのＵＲＬやアクセス記録からなるデータベースである。なお、マイページデータベース１４６は独立して構成される必要はなく、記憶部１４１の一領域として構成されても良い。
【００４８】
次に、図４を参照しながら、演算部１４４の構成について説明する。
【００４９】
図４は、演算部１４４の構成を示した図である。図示されるように、演算部１４４は、第一抽出部１６０、ランキング情報生成部１６１、第二抽出部１６２、モデル構築部１６３、育成結果予測部１６４及びアドバイス情報生成部１６５を備えている。
【００５０】
第一抽出部１６０は、農作物情報データベース１４３から農作物に関する成果情報を読み出して抽出し、抽出した情報をランキング情報生成部１６１に受け渡す。
【００５１】
ランキング情報生成部１６１は、第一抽出部１６０が抽出した情報に基づいて、所定のパラメータの値の大小を比較して農業者をランク付けし、ランキング情報を生成する。例えば、第一抽出部１６０が所定の農作物、例えば梨を栽培している農業者（梨農家）の成果情報を抽出した場合、所定のパラメータ、例えば糖度の値の大小を比較し、より高い糖度を成果情報として持つ農業者を上位にランク付けし、ランキング情報を生成する。
【００５２】
第二抽出部１６２は、農作物情報データベース１４３から農作物に関する育成記録を読み出して抽出し、育成結果予測部１６４に受け渡す。
【００５３】
モデル構築部１６３は、所定の農作物、例えば梨に関する育成記録と成果情報のデータから、育成結果を予測するモデルを構築する。ここで、モデル構築部１６３は、ディープラーニングなどの手法を用い、土壌の水素イオン指数などの育成記録に関するパラメータを説明変数、糖度などの成果情報に関するパラメータを目的変数とする人工知能モデルを構築しても良い。
【００５４】
育成結果予測部１６４は、モデル構築部１６３によって構築されたモデルに対して、第二抽出部１６２が抽出した育成記録のデータを入力し、その育成記録に係る農作物の育成結果を予測する。
【００５５】
アドバイス情報生成部１６５は、育成結果予測部１６４によって予測された育成結果に基づいて、施用する肥料の種類や分量の増減など、栽培方法に関するアドバイス情報を生成する。なお、アドバイス情報生成部１６５が生成するアドバイス情報は、文字データに限定されず、動画データや音声データ、あるいは、農業者端末装置１０２に対してアドバイス情報の内容に応じた所定の振動を生じさせるなど、様々な形式を適用することができる。
【００５６】
以上の構成からなる本実施形態に係る農作物管理システム１００について、図５を参照しながら、農業者端末装置１０２を使用する農業者がユーザー登録を行う場合の動作例を説明する。
【００５７】
図５は、農業者端末装置１０２とサーバ装置１０３との間の情報処理を示したフローチャートである。まず、農業者端末装置１０２を使用する農業者が入力部１２５を操作して、氏名、住所、電話番号などの個人属性に関する情報が入力される（ステップＳ１８０）。続いて、農業者端末装置１０２は、ステップＳ１８０において入力された個人属性に関する情報を、サーバ装置１０３に送信する（ステップＳ１８１）。続いて、サーバ装置１０３は、ステップＳ１８１において送信された個人属性に関する情報を受信する（ステップＳ１８２）。続いて、サーバ装置１０３は、ステップＳ１８２において受信した個人属性に関する情報を、ユーザーデータベース１４５に登録する（ステップＳ１８３）。続いて、サーバ装置１０３は、ユーザー登録通知を生成し、農業者端末装置１０２に送信する（ステップＳ１８４）。なお、ユーザー登録通知は、サーバ装置１０３が発行したユーザーＩＤやパスワードなどを含んでも良い。続いて、農業者端末装置１０２は、ステップＳ１８４において送信されたユーザー登録通知を受信する（ステップＳ１８５）。続いて、農業者端末装置１０２は、ステップＳ１８５において受信したユーザー登録通知を表示する（ステップＳ１８６）。
【００５８】
なお、サーバ装置１０３は、ステップＳ１８３又はステップＳ１８４のタイミングにおいて、ユーザー登録した農業者のマイページを開設し、ステップＳ１８４において、そのマイページのＵＲＬを通知しても良い。
【００５９】
農業者端末装置１０２を使用する農業者は、以上のようにして、ユーザー登録を行う。
【００６０】
次に、図６を参照しながら、農業者端末装置１０２を使用する農業者が農場（農園）の名称及び所在地、栽培している農作物の品種などの基本情報を登録する場合の、本実施形態に係る農作物管理システム１００の動作例を説明する。
【００６１】
図６は、農業者端末装置１０２とサーバ装置１０３との間の情報処理を示したフローチャートである。まず、農業者端末装置１０２を使用する農業者が入力部１２５を操作して、農場（農園）の名称及び所在地、栽培している農作物の品種などの基本情報が入力される（ステップＳ２００）。続いて、農業者端末装置１０２は、ステップＳ２００において入力された基本情報を、サーバ装置１０３に送信する（ステップＳ２０１）。続いて、サーバ装置１０３は、ステップＳ２０１において送信された基本情報を受信する（ステップＳ２０２）。続いて、サーバ装置１０３は、ステップＳ２０２において受信した基本情報を、ユーザーデータベース１４５に登録する（ステップＳ２０３）。続いて、サーバ装置１０３は、基本情報登録通知を生成し、農業者端末装置１０２に送信する（ステップＳ２０４）。続いて、農業者端末装置１０２は、ステップＳ２０４において送信された基本情報登録通知を受信する（ステップＳ２０５）。続いて、農業者端末装置１０２は、ステップＳ２０５において受信した基本情報登録通知を表示する（ステップＳ２０６）。
【００６２】
なお、サーバ装置１０３は、ステップＳ２０３において、ステップＳ２０２において受信した基本情報を、ユーザーデータベース１４５、農作物情報データベース１４３及びマイページデータベース１４６に適宜振り分けて登録して良く、また、重複して登録しても良い。
【００６３】
農業者端末装置１０２を使用する農業者は、以上のようにして、基本情報の登録を行う。
【００６４】
次に、図７を参照しながら、農業者端末装置１０２を使用する農業者が農作物に関する育成記録や成果情報を登録する前段階として、栽培している農作物の一覧データを取得する場合の、本実施形態に係る農作物管理システム１００の動作例を説明する。
【００６５】
図７は、農業者端末装置１０２とサーバ装置１０３との間の情報処理を示したフローチャートである。まず、農業者端末装置１０２を使用する農業者が入力部１２５を操作して、農作物の一覧要求が入力される（ステップＳ２２０）。続いて、農業者端末装置１０２は、ステップＳ２２０において入力された農作物の一覧要求を、サーバ装置１０３に送信する（ステップＳ２２１）。続いて、サーバ装置１０３は、ステップＳ２２１において送信された農作物の一覧要求を受信する（ステップＳ２２２）。続いて、サーバ装置１０３は、栽培している農作物の品種の情報を各データベースから読み出し、一覧データを生成する（ステップＳ２２３）。続いて、サーバ装置１０３は、ステップＳ２２３において生成した農作物の一覧データを、農業者端末装置１０２に送信する（ステップＳ２２４）。続いて、農業者端末装置１０２は、ステップＳ２２４において送信された農作物の一覧データを受信する（ステップＳ２２５）。続いて、農業者端末装置１０２は、ステップＳ２２５において受信した農作物の一覧データを表示する（ステップＳ２２６）。
【００６６】
農業者端末装置１０２を使用する農業者は、以上のようにして、栽培している農作物の一覧データを取得する。
【００６７】
次に、図８を参照しながら、農業者端末装置１０２を使用する農業者が農作物に関する育成記録を登録する場合の、本実施形態に係る農作物管理システム１００の動作例を説明する。なお、育成記録とは、土壌の水素イオン指数、電気伝導度、水分量及び窒素化合物量並びに施用される肥料の種類及び分量並びに施用される農薬の種類及び分量並びに日射量並びに気温並びに天候の情報などが挙げられるが、これらに限定されない。
【００６８】
図８は、農業者端末装置１０２とサーバ装置１０３との間の情報処理を示したフローチャートである。まず、農業者端末装置１０２の表示部１２３には、図７のステップＳ２２５において受信した農作物の一覧データが表示されている（ステップＳ２４０）。この状態において、農業者端末装置１０２を使用する農業者が入力部１２５を操作して、入力する育成記録に係る農作物が選択される（ステップＳ２４１）。続いて、農業者端末装置１０２を使用する農業者が入力部１２５を操作して、育成記録が入力される（ステップＳ２４２）。続いて、農業者端末装置１０２は、ステップＳ２４２において入力された育成記録を、サーバ装置１０３に送信する（ステップＳ２４３）。続いて、サーバ装置１０３は、ステップＳ２４３において送信された育成記録を受信する（ステップＳ２４４）。続いて、サーバ装置１０３は、ステップＳ２４４において受信した育成記録を、農作物情報データベース１４３に登録する（ステップＳ２４５）。続いて、サーバ装置１０３は、育成記録登録通知を生成し、農業者端末装置１０２に送信する（ステップＳ２４６）。続いて、農業者端末装置１０２は、ステップＳ２４６において送信された育成記録登録通知を受信する（ステップＳ２４７）。続いて、農業者端末装置１０２は、ステップＳ２４７において受信した育成記録登録通知を表示する（ステップＳ２４８）。
【００６９】
農業者端末装置１０２を使用する農業者は、以上のようにして、栽培している農作物に関する育成記録を登録する。
【００７０】
次に、図９を参照しながら、農業者端末装置１０２を使用する農業者が農作物に関する成果情報を登録する場合の、本実施形態に係る農作物管理システム１００の動作例を説明する。なお、成果情報とは、糖度、酸度、収穫量、販売価格及び利益率の情報などが挙げられるが、これらに限定されない。
【００７１】
図９は、農業者端末装置１０２とサーバ装置１０３との間の情報処理を示したフローチャートである。まず、農業者端末装置１０２の表示部１２３には、図７のステップＳ２２５において受信した農作物の一覧データが表示されている（ステップＳ２６０）。この状態において、農業者端末装置１０２を使用する農業者が入力部１２５を操作して、入力する成果情報に係る農作物が選択される（ステップＳ２６１）。続いて、農業者端末装置１０２を使用する農業者が入力部１２５を操作して、成果情報が入力される（ステップＳ２６２）。続いて、農業者端末装置１０２は、ステップＳ２６２において入力された成果情報を、サーバ装置１０３に送信する（ステップＳ２６３）。続いて、サーバ装置１０３は、ステップＳ２６３において送信された成果情報を受信する（ステップＳ２６４）。続いて、サーバ装置１０３は、ステップＳ２６４において受信した成果情報を、農作物情報データベース１４３に登録する（ステップＳ２６５）。続いて、サーバ装置１０３は、成果情報登録通知を生成し、農業者端末装置１０２に送信する（ステップＳ２６６）。続いて、農業者端末装置１０２は、ステップＳ２６６において送信された成果情報登録通知を受信する（ステップＳ２６７）。続いて、農業者端末装置１０２は、ステップＳ２６７において受信した成果情報登録通知を表示する（ステップＳ２６８）。
【００７２】
ここで、ステップＳ２６２における成果情報の入力は、農業者端末装置１０２の入力部１２５がＲＦＩＤリーダーで構成されている場合は、糖度計などの測定器１２６に設けられたＲＦＩＤチップで構成されている通信部１２９を入力部１２５にかざすことで自動的に入力が行われる構成であると好ましい。このような構成とすることで、悪天候下の屋外における農作業時などでも、迅速且つ簡易に成果情報を入力することができる。
【００７３】
農業者端末装置１０２を使用する農業者は、以上のようにして、栽培している農作物に関する成果情報を登録する。
【００７４】
次に、図１０を参照しながら、農業者端末装置１０２を使用する農業者が農作物に関するランキング情報を取得する場合の、本実施形態に係る農作物管理システム１００の動作例を説明する。なお、ランキング情報とは、例えば、所定の農作物についての所定のパラメータ、例えば梨の糖度の値の大小を比較し、より高い糖度を成果情報として持つ農業者を上位にランク付けした場合における、各農業者のランキングである。より具体的には、全世界の農業者におけるランク（「梨の糖度の世界ランク：１００位」など）や地域別のランク（「梨の糖度の関東地区ランク：３位」など）といった情報である。
【００７５】
図１０は、農業者端末装置１０２とサーバ装置１０３との間の情報処理を示したフローチャートである。まず、農業者端末装置１０２を使用する農業者が入力部１２５を操作して、ランキング情報要求が入力される（ステップＳ２８０）。続いて、農業者端末装置１０２は、ステップＳ２８０において入力されたランキング情報要求を、サーバ装置１０３に送信する（ステップＳ２８１）。続いて、サーバ装置１０３は、ステップＳ２８１において送信されたランキング情報要求を受信する（ステップＳ２８２）。続いて、サーバ装置１０３は、農作物情報データベース１４３から農作物に関する成果情報を読み出して抽出する（ステップＳ２８３）。続いて、サーバ装置１０３は、ステップＳ２８３において抽出した農作物に関する成果情報に基づいて、所定の農作物に係る所定のパラメータの値の大小を比較する（ステップＳ２８４）。続いて、サーバ装置１０３は、ステップＳ２８４において比較した値に基づいて、ランキング情報を生成する（ステップＳ２８５）。続いて、サーバ装置１０３は、ステップＳ２８５において生成したランキング情報を、農業者端末装置１０２に送信する（ステップＳ２８６）。続いて、農業者端末装置１０２は、ステップＳ２８６において送信されたランキング情報を受信する（ステップＳ２８７）。続いて、農業者端末装置１０２は、ステップＳ２８７において受信したランキング情報を表示する（ステップＳ２８８）。
【００７６】
農業者端末装置１０２を使用する農業者は、以上のようにして、ランキング情報を取得する。
【００７７】
次に、図１１を参照しながら、農業者端末装置１０２を使用する農業者が農作物に関するアドバイス情報を取得する場合の、本実施形態に係る農作物管理システム１００の動作例を説明する。なお、アドバイス情報とは、例えば、施用する肥料の種類や分量の増減など、栽培方法に関するアドバイスである。より具体的には、農作物の栽培環境を改善するための助言（「有機肥料の割合を上げてください」など）を含む情報である。
【００７８】
図１１は、農業者端末装置１０２とサーバ装置１０３との間の情報処理を示したフローチャートである。まず、農業者端末装置１０２を使用する農業者が入力部１２５を操作して、アドバイス情報要求が入力される（ステップＳ３００）。続いて、農業者端末装置１０２は、ステップＳ３００において入力されたアドバイス情報要求を、サーバ装置１０３に送信する（ステップＳ３０１）。続いて、サーバ装置１０３は、ステップＳ３０１において送信されたアドバイス情報要求を受信する（ステップＳ３０２）。続いて、サーバ装置１０３は、農作物情報データベース１４３から農作物に関する育成記録を読み出して抽出する（ステップＳ３０３）。続いて、サーバ装置１０３は、ステップＳ３０３において抽出した農作物に関する育成記録を、育成結果を予測するモデルに入力し、その育成記録に係る農作物の育成結果を予測（シミュレーション）する（ステップＳ３０４）。続いて、サーバ装置１０３は、ステップＳ３０４において予測された育成結果に基づいて、施用する肥料の種類や分量の増減など、栽培方法に関するアドバイス情報を生成する（ステップＳ３０５）。続いて、サーバ装置１０３は、ステップＳ３０５において生成したアドバイス情報を、農業者端末装置１０２に送信する（ステップＳ３０６）。続いて、農業者端末装置１０２は、ステップＳ３０６において送信されたアドバイス情報を受信する（ステップＳ３０７）。続いて、農業者端末装置１０２は、ステップＳ３０７において受信したアドバイス情報を表示する（ステップＳ３０８）。
【００７９】
農業者端末装置１０２を使用する農業者は、以上のようにして、アドバイス情報を取得する。
【００８０】
なお、上述したとおり、アドバイス情報は、文字データに限定されず、動画データや音声データ、あるいは、振動データといった触覚に訴える形式であっても良い。例えば、アドバイス情報が振動データで生成された場合、農業者端末装置１０２は、ステップＳ３０８において農業者端末装置１０２を振動させることでアドバイス情報を農業者に伝達しても良い。農業者端末装置１０２を振動させる機構としては、例えば、モーターの軸に偏心錘を取り付けたバイブレータ機構が挙げられる。
【００８１】
次に、本発明に係る農作物管理システムの他の実施形態として、消費者端末装置３２１をさらに備える実施形態を説明する。
【００８２】
図１２は、本発明の他の実施形態に係る農作物管理システム３２０の全体構成を示した図である。図示されるように、農作物管理システム３２０は、農業者端末装置１０２と、サーバ装置１０３とに加えて、消費者端末装置３２１を備えている。消費者端末装置３２１は、農業者端末装置１０２と同様にＩＰアドレスが割り当てられ、インターネットなどにより構築されているネットワーク１０１に有線又は無線で接続されており、少なくともサーバ装置１０３と相互にデータ通信が可能な構成となっている。
【００８３】
消費者端末装置３２１は、農作物を購入する消費者が使用する携帯型のコンピュータである。具体的には、携帯型のパーソナルコンピュータ（ＰＣ）、携帯電話、ＰＤＡ、スマートフォンなどを適用することができ、特に限定されない。なお、本実施形態においては、消費者端末装置３２１の具体例としてスマートフォンを例示する。また、消費者端末装置３２１は、各端末装置を使用する消費者毎に割り当てられたユーザーＩＤによって識別することができ、本実施形態に係る農作物管理システム３２０において消費者端末装置３２１の台数は特に限定されない。
【００８４】
次に、図１３を参照しながら、本実施形態に係る消費者端末装置３２１の各構成について説明する。
【００８５】
図１３は、本実施形態に係る消費者端末装置３２１の構成を示した図である。図示されるように、消費者端末装置３２１は、バスを介して、制御部３４０、記憶部３４１、通信部３４２、表示部３４３、演算部３４４及び入力部３４５を備えている。
【００８６】
制御部３４０は、消費者端末装置３２１の中枢として機能する中央演算処理装置（Ｃｅｎｔｒａｌ  Ｐｒｏｃｅｓｓｉｎｇ  Ｕｎｉｔ）であり、記憶部３４１などに記憶されたプログラムを実行することにより、消費者端末装置３２１の各構成を制御する。
【００８７】
記憶部３４１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）で構成され、プログラムや各種情報を記憶し、また、各種の作業用記憶領域を形成している。
【００８８】
通信部３４２は、制御部３４０の制御の下、ネットワーク１０１を介してサーバ装置１０３との間でデータを送受信する通信手段である。
【００８９】
表示部３４３は、例えば液晶表示素子や有機ＥＬなどの表示素子を用いて構成されているディスプレイであり、制御部３４０の制御の下、農業者のマイページなどを表示する機能を備えている。
【００９０】
演算部３４４は、記憶部３４１に記憶されたプログラムを実行し、記憶部３４１に記憶された各種の情報や入力部３４５から入力された各種の入力を演算する演算手段である。なお、演算部３４４は独立して構成される必要はなく、制御部３４０が演算部３４４を兼ねても良い。
【００９１】
入力部３４５は、操作者である消費者による入力操作を受け付ける機能を備えており、例えば、表示部３４３に表示されたスクリーンキーボード、キーボード、マウス、音声入力を受け付けるマイクで構成されている。
【００９２】
以上の構成からなる本実施形態に係る農作物管理システム３２０について、図１４を参照しながら、消費者端末装置３２１を使用する消費者がユーザー登録を行う場合の動作例を説明する。
【００９３】
図１４は、消費者端末装置３２１とサーバ装置１０３との間の情報処理を示したフローチャートである。まず、消費者端末装置３２１を使用する消費者が入力部３４５を操作して、氏名、住所、電話番号などの個人属性に関する情報が入力される（ステップＳ３６０）。続いて、消費者端末装置３２１は、ステップＳ３６０において入力された個人属性に関する情報を、サーバ装置１０３に送信する（ステップＳ３６１）。続いて、サーバ装置１０３は、ステップＳ３６１において送信された個人属性に関する情報を受信する（ステップＳ３６２）。続いて、サーバ装置１０３は、ステップＳ３６２において受信した個人属性に関する情報を、ユーザーデータベース１４５に登録する（ステップＳ３６３）。続いて、サーバ装置１０３は、ユーザー登録通知を生成し、消費者端末装置３２１に送信する（ステップＳ３６４）。なお、ユーザー登録通知は、サーバ装置１０３が発行したユーザーＩＤやパスワードなどを含んでも良い。続いて、消費者端末装置３２１は、ステップＳ３６４において送信されたユーザー登録通知を受信する（ステップＳ３６５）。続いて、消費者端末装置３２１は、ステップＳ３６５において受信したユーザー登録通知を表示する（ステップＳ３６６）。
【００９４】
なお、サーバ装置１０３は、ステップＳ３６３又はステップＳ３６４のタイミングにおいて、ユーザー登録した消費者のマイページを開設し、ステップＳ３６４において、そのマイページのＵＲＬを通知しても良い。
【００９５】
消費者端末装置３２１を使用する消費者は、以上のようにして、ユーザー登録を行う。
【００９６】
次に、図１５を参照しながら、消費者端末装置３２１を使用する消費者が農業者のマイページを閲覧し、さらに、消費者が農業者や農作物に対して評価を行う場合の、本実施形態に係る農作物管理システム３２０の動作例を説明する。
【００９７】
図１５は、消費者端末装置３２１とサーバ装置１０３との間の情報処理を示したフローチャートである。まず、消費者端末装置３２１を使用する消費者が入力部３４５を操作して、マイページの閲覧要求が入力される（ステップＳ３８０）。続いて、消費者端末装置３２１は、ステップＳ３８０において入力されたマイページの閲覧要求を、サーバ装置１０３に送信する（ステップＳ３８１）。続いて、サーバ装置１０３は、ステップＳ３８１において送信されたマイページの閲覧要求を受信する（ステップＳ３８２）。続いて、サーバ装置１０３は、農業者のマイページのデータ（コンテンツ）を各データベースから読み出す（ステップＳ３８３）。続いて、サーバ装置１０３は、ステップＳ３８３において読み出したマイページのデータを、消費者端末装置３２１に送信する（ステップＳ３８４）。続いて、消費者端末装置３２１は、ステップＳ３８４において送信されたマイページのデータを受信する（ステップＳ３８５）。続いて、消費者端末装置３２１は、ステップＳ３８５において受信したマイページのデータを表示する（ステップＳ３８６）。続いて、消費者端末装置３２１は、農業者や農作物に対する評価の入力を受け付ける（ステップＳ３８７）。ステップＳ３８７において、農業者や農作物に対する評価の入力を受け付けた場合はステップＳ３８８に進み、農業者や農作物に対する評価の入力を受け付けなかった場合は処理を終了する。ここで、農業者や農作物に対する評価は、例えば、表示部３４３に表示された星の数を消費者が選択することで入力されて良い。続いて、消費者端末装置３２１は、ステップＳ３８８において農業者や農作物に対する評価の入力を受け付けた場合、ステップＳ３８８において入力された農業者や農作物に対する評価情報を、サーバ装置１０３に送信する（ステップＳ３８９）。ここで、農業者や農作物に対する評価情報は、例えば、消費者が選択した星の数に応じた数値である。続いて、サーバ装置１０３は、ステップＳ３８９において送信された農業者や農作物に対する評価情報を受信する（ステップＳ３９０）。続いて、サーバ装置１０３は、ステップＳ３９０において受信した農業者や農作物に対する評価情報を、マイページデータベース１４６に登録する（ステップＳ３９１）。続いて、サーバ装置１０３は、評価完了通知を生成し、消費者端末装置３２１に送信する（ステップＳ３９２）。続いて、消費者端末装置３２１は、ステップＳ３９２において送信された評価完了通知を受信する（ステップＳ３９３）。続いて、消費者端末装置３２１は、ステップＳ３９３において受信した評価完了通知を表示する（ステップＳ３９４）。
【００９８】
消費者端末装置３２１を使用する消費者は、以上のようにして、農業者のマイページを閲覧し、さらに、消費者が農業者や農作物に対して評価を行う。
【００９９】
次に、本発明に係る農作物管理システムの他の実施形態として、バイヤー端末装置４０１をさらに備える実施形態を説明する。
【０１００】
図１６は、本発明の他の実施形態に係る農作物管理システム４００の全体構成を示した図である。図示されるように、農作物管理システム４００は、農業者端末装置１０２と、サーバ装置１０３と、消費者端末装置３２１に加えて、バイヤー端末装置４０１を備えている。バイヤー端末装置３２１は、農業者端末装置１０２や消費者端末装置３２１と同様にＩＰアドレスが割り当てられ、インターネットなどにより構築されているネットワーク１０１に有線又は無線で接続されており、少なくともサーバ装置１０３と相互にデータ通信が可能な構成となっている。
【０１０１】
バイヤー端末装置４０１は、小売店の仕入れ担当者など、個人又は法人の事業者が使用する携帯型のコンピュータである。具体的には、携帯型のパーソナルコンピュータ（ＰＣ）、携帯電話、ＰＤＡ、スマートフォンなどを適用することができ、特に限定されない。なお、本実施形態においては、バイヤー端末装置４０１の具体例としてスマートフォンを例示する。また、バイヤー端末装置４０１は、各端末装置を使用する事業者毎に割り当てられたユーザーＩＤによって識別することができ、本実施形態に係る農作物管理システム４００においてバイヤー端末装置４０１の台数は特に限定されない。
【０１０２】
次に、図１７を参照しながら、本実施形態に係るバイヤー端末装置４０１の各構成について説明する。
【０１０３】
図１７は、本実施形態に係るバイヤー端末装置４０１の構成を示した図である。図示されるように、バイヤー端末装置４０１は、バスを介して、制御部４２０、記憶部４２１、通信部４２２、表示部４２３、演算部４２４及び入力部４２５を備えている。
【０１０４】
制御部４２０は、バイヤー端末装置４０１の中枢として機能する中央演算処理装置（Ｃｅｎｔｒａｌ  Ｐｒｏｃｅｓｓｉｎｇ  Ｕｎｉｔ）であり、記憶部４２１などに記憶されたプログラムを実行することにより、バイヤー端末装置４０１の各構成を制御する。
【０１０５】
記憶部４２１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）で構成され、プログラムや各種情報を記憶し、また、各種の作業用記憶領域を形成している。
【０１０６】
通信部４２２は、制御部４２０の制御の下、ネットワーク１０１を介してサーバ装置１０３との間でデータを送受信する通信手段である。
【０１０７】
表示部４２３は、例えば液晶表示素子や有機ＥＬなどの表示素子を用いて構成されているディスプレイであり、制御部４２０の制御の下、農業者のマイページなどを表示する機能を備えている。
【０１０８】
演算部４２４は、記憶部４２１に記憶されたプログラムを実行し、記憶部４２１に記憶された各種の情報や入力部４２５から入力された各種の入力を演算する演算手段である。なお、演算部４２４は独立して構成される必要はなく、制御部４２０が演算部４２４を兼ねても良い。
【０１０９】
入力部４２５は、操作者である事業者による入力操作を受け付ける機能を備えており、例えば、表示部４２３に表示されたスクリーンキーボード、キーボード、マウス、音声入力を受け付けるマイクで構成されている。
【０１１０】
以上の構成からなる本実施形態に係る農作物管理システム４００について、図１８を参照しながらバイヤー端末装置４０１を使用する事業者がユーザー登録を行う場合の動作例を説明する。
【０１１１】
図１８は、バイヤー端末装置４０１とサーバ装置１０３との間の情報処理を示したフローチャートである。まず、バイヤー端末装置４０１を使用する事業者が入力部４２５を操作して、会社名、住所、電話番号などの個人属性に関する情報が入力される（ステップＳ４４０）。続いて、バイヤー端末装置４０１は、ステップＳ４４０において入力された個人属性に関する情報を、サーバ装置１０３に送信する（ステップＳ４４１）。続いて、サーバ装置１０３は、ステップＳ４４１において送信された個人属性に関する情報を受信する（ステップＳ４４２）。続いて、サーバ装置１０３は、ステップＳ４４２において受信した個人属性に関する情報を、ユーザーデータベース１４５に登録する（ステップＳ４４３）。続いて、サーバ装置１０３は、ユーザー登録通知を生成し、バイヤー端末装置４０１に送信する（ステップＳ４４４）。なお、ユーザー登録通知は、サーバ装置１０３が発行したユーザーＩＤやパスワードなどを含んでも良い。続いて、バイヤー端末装置４０１は、ステップＳ４４４において送信されたユーザー登録通知を受信する（ステップＳ４４５）。続いて、バイヤー端末装置４０１は、ステップＳ４４５において受信したユーザー登録通知を表示する（ステップＳ４４６）。
【０１１２】
なお、サーバ装置１０３は、ステップＳ４４３又はステップＳ４４４のタイミングにおいて、ユーザー登録した事業者のマイページを開設し、ステップＳ４４４において、そのマイページのＵＲＬを通知しても良い。
【０１１３】
バイヤー端末装置４０１を使用する事業者は、以上のようにして、ユーザー登録を行う。
【０１１４】
次に、図１９を参照しながら、バイヤー端末装置４０１を使用する事業者が農業者のマイページを閲覧し、さらに、事業者が農業者に対して農作物の発注を行う場合の、本実施形態に係る農作物管理システム４００の動作例を説明する。
【０１１５】
図１９は、バイヤー端末装置４０１と、サーバ装置１０３と、農業者端末装置１０２との間の情報処理を示したフローチャートである。まず、バイヤー端末装置４０１を使用する事業者が入力部４２５を操作して、マイページの閲覧要求が入力される（ステップＳ４６０）。続いて、バイヤー端末装置４０１は、ステップＳ４６０において入力されたマイページの閲覧要求を、サーバ装置１０３に送信する（ステップＳ４６１）。続いて、サーバ装置１０３は、ステップＳ４６１において送信されたマイページの閲覧要求を受信する（ステップＳ４６２）。続いて、サーバ装置１０３は、農業者のマイページのデータ（コンテンツ）を各データベースから読み出す（ステップＳ４６３）。続いて、サーバ装置１０３は、ステップＳ４６３において読み出したマイページのデータを、バイヤー端末装置４０１に送信する（ステップＳ４６４）。続いて、バイヤー端末装置４０１は、ステップＳ４６４において送信されたマイページのデータを受信する（ステップＳ４６５）。続いて、バイヤー端末装置４０１は、ステップＳ４６５において受信したマイページのデータを表示する（ステップＳ４６６）。続いて、バイヤー端末装置４０１は、農業者に対する発注の入力を受け付ける（ステップＳ４６７）。ステップＳ４６７において、農業者に対する発注の入力を受け付けた場合はステップＳ４６８に進み、農業者に対する発注の入力を受け付けなかった場合は処理を終了する。続いて、バイヤー端末装置４０１は、ステップＳ４６８において農業者に対する発注の入力を受け付けた場合、ステップＳ４６８において入力された農業者に対する発注情報を、サーバ装置１０３に送信する（ステップＳ４６９）。ここで、農業者に対する発注情報は、例えば、農作物の個数や納品場所などを含んで良い。続いて、サーバ装置１０３は、ステップＳ４６９において送信された農業者に対する発注情報を受信する（ステップＳ４７０）。続いて、サーバ装置１０３は、ステップＳ４７０において受信した農業者に対する発注情報を、発注に係る農業者の農業者端末装置１０２に送信する（ステップＳ４７１）。続いて、サーバ装置１０３は、発注完了通知を生成し、バイヤー端末装置４０１に送信する（ステップＳ４７２）。続いて、バイヤー端末装置４０１は、ステップＳ４７２において送信された発注完了通知を受信する（ステップＳ４７３）。続いて、バイヤー端末装置４０１は、ステップＳ４７３において受信した発注完了通知を表示する（ステップＳ４７４）。一方、発注情報を送信された農業者端末装置１０２は、ステップＳ４７１において送信された発注情報を受信する（ステップＳ４７５）。続いて、発注情報を送信された農業者端末装置１０２は、ステップＳ４７５において受信した発注情報を表示する（ステップＳ４７６）。
【０１１６】
バイヤー端末装置４０１を使用する事業者は、以上のようにして、農業者のマイページを閲覧し、農作物に関する育成記録や成果情報のみならず、消費者からの評価情報も加味した上で、農業者に対して発注を行う。
【０１１７】
これまで農作物管理システムに係る実施形態の説明を行なったが、本発明は上述の実施形態に限定されるものではなく、コンピュータに対して農作物管理システムの機能を実現させるための農作物管理プログラムとしての形態や、その農作物管理プログラムが記録されたコンピュータ読み取り可能な記録媒体の形態として実施されても良い。
【０１１８】
記録媒体としては、磁気記録装置、光ディスク、半導体メモリ、光カードなどを用いることができる。例えば、磁気記録装置としては、フレキシブルディスク、磁気テープを、光ディスクとしては、ＤＶＤ−ＲＡＭ(Digital Versatile Disc Random Access Memory)、ＣＤ−ＲＯＭ(Compact Disc Read Only Memory)、ＣＤ−Ｒ(Recordable)／ＲＷ(ReWritable)を、半導体メモリとしては、フラッシュメモリを挙げることができる。
【０１１９】
プログラムの流通は、そのプログラムを記録したＣＤ−ＲＯＭなどの可搬型記録媒体を販売、譲渡、貸与等することによって行うことができる。また、プログラムをサーバなどに格納しておき、インターネット通信網などのネットワークを介して、ユーザーからの要求に応じてサーバなどから転送して流通させる形態としても良い。
【０１２０】
また、読み出したプログラムをコンピュータが実行することにより本発明が実施されるだけでなく、そのプログラムの指示に基づいて、コンピュータ上で稼働しているＯＳ（Ｏｐｅｒａｔｉｎｇ  Ｓｙｓｔｅｍ）などが実際の処理の一部を行ない、その処理によって本発明が実施されても良い。
【０１２１】
さらに、プログラムが、コンピュータに挿入された機能拡張ボードやコンピュータに接続された機能拡張ユニットに備わるメモリに書き込まれた後、そのプログラムの指示に基づいて、その機能拡張ボードや機能拡張ユニットに備わるＣＰＵ（Ｃｅｎｔｒａｌ  Ｐｒｏｃｅｓｓｉｎｇ  Ｕｎｉｔ）などが実際の処理の一部または全部を行ない、その処理によって本発明が実施されても良い。
【０１２２】
以上のとおり説明した本発明に係る農作物管理システム及び農作物管理プログラムによれば、農作物の栽培条件に関する情報だけでなく、これに結びつけられた情報として糖度などの成果に関する情報を蓄積することで、どういったデータが紐付いた農作物が消費者やバイヤーからの評価が高いのかを、人の感覚だけでなく膨大なデータから分析することができる。そのため、例えば、農業のノウハウを有していない新規参入者や外国人労働者に対して、どのような栽培条件を整えれば所望の農作物が得られるかをアドバイスすることができる。
【０１２３】
また、本発明に係る農作物管理システム及び農作物管理プログラムによれば、特定の国だけでなく国境を跨いで用いられることにより、農業者に対して、世界的な観点から自身の農作物のバランスなどを比較・分析する機会を提供することができる。
【０１２４】
また、本発明に係る農作物管理システム及び農作物管理プログラムによれば、栽培条件に関する情報と成果に関する情報とをクラウド上で共有できるため、これらの情報を求めているユーザー（農業者、消費者、バイヤー）がタイムリーに情報を得ることができる。そのため、農業者に対して、苦労して育てた農作物のデータをしっかりと記録・管理していくことで、消費者やバイヤーに対して美味しい農作物をアピールする機会を提供することができる。また、農薬に関する情報、例えば無農薬である旨の情報を追加で公開することで、食の安全を重視している層に対してより効果的にアピールする機会を提供することができる。
【０１２５】
また、本発明に係る農作物管理システム及び農作物管理プログラムによれば、農作物の直売の仕組みを設けることによって、中間業者を省いて農業者とバイヤーとが直接的に取引することができる。そのため、バイヤーに対して、農業者が登録した生の正確な計測データを鑑みて農作物を選択する機会を提供することができ、農業者に対して、利益率の向上という側面から貢献することができる。
【０１２６】
なお、本発明は上述の実施形態に限定されるものではなく、本発明の趣旨を逸脱しない範囲において種々の改変が可能であることは言うまでもない。
【０１２７】
例えば、サーバ装置１０３は、優れた農作物を栽培した農業者を表彰する表彰手段として、ランキング情報に基づいて表彰対象の農業者を抽出し、表彰文や受賞マークを生成して表彰対象の農業者のマイページに表示する手段をさらに備えても良い。かかる手段を備えることにより、本発明に係る農作物管理システム及び農作物管理プログラムは、農業者のブランドの向上に資することができる。
【０１２８】
また、例えば、サーバ装置１０３は、農業者や農作物に対する評価を行った消費者に対して、スーパーマーケットで使用することができるポイント（例えば、電子マネーのポイント）を付与する手段をさらに備えても良い。かかる手段を備えることにより、本発明に係る農作物管理システム及び農作物管理プログラムは、農業者や農作物に対する評価の促進を通して、農業者による農作物のブランド化を支援することができる。
【符号の説明】
【０１２９】
１００    農作物管理システム
１０１    ネットワーク
１０２    農業者端末装置
１０３    サーバ装置
１２０    制御部
１２１    記憶部
１２２    通信部
１２３    表示部
１２４    演算部
１２５    入力部
１２６    測定器
１２７    制御部
１２８    記憶部
１２９    通信部
１３０    表示部
１３１    演算部
１３２    入力部
１３３    センサ部
１４０    制御部
１４１    記憶部
１４２    通信部
１４３    農作物情報データベース
１４３    演算部
１４４    演算部
１４５    ユーザーデータベース
１４６    マイページデータベース
１６０    第一抽出部
１６１    ランキング情報生成部
１６２    第二抽出部
１６３    モデル構築部
１６４    育成結果予測部
１６５    アドバイス情報生成部
３２０    農作物管理システム
３２１    消費者端末装置
３４０    制御部
３４１    記憶部
３４２    通信部
３４３    表示部
３４４    演算部
３４５    入力部
４００    農作物管理システム
４０１    バイヤー端末装置
４２０    制御部
４２１    記憶部
４２２    通信部
４２３    表示部
４２４    演算部
４２５    入力部
【図１】
2020201763.tif 000003
【図２】
2020201763.tif 000004
【図３】
2020201763.tif 000005
【図４】
2020201763.tif 000006
【図５】
2020201763.tif 000007
【図６】
2020201763.tif 000008
【図７】
2020201763.tif 000009
【図８】
2020201763.tif 000010
【図９】
2020201763.tif 000011
【図１０】
2020201763.tif 000012
【図１１】
2020201763.tif 000013
【図１２】
2020201763.tif 000014
【図１３】
2020201763.tif 000015
【図１４】
2020201763.tif 000016
【図１５】
2020201763.tif 000017
【図１６】
2020201763.tif 000018
【図１７】
2020201763.tif 000019
【図１８】
2020201763.tif 000020
【図１９】
2020201763.tif 000021